【事件の表示】
　特願２００１−５５０６３１「ウェブ上の情報源およびサービスにアクセスする方法および装置」拒絶査定不服審判事件〔平成１３年　７月１２日国際公開、ＷＯ０１／５０３４１、平成１５年１１月２５日国内公表、特表２００３−５３５３８８〕について、次のとおり審決する。
【結　論】
　本件審判の請求は、成り立たない。
【理　由】
１．手続の経緯
　　
　本願は，１９９９年１２月３０日（以下「優先日」という。）のフランス国への出願を基礎とするパリ条約による優先権主張をともない，
　２０００年１２月２９日を国際出願日とする出願（国際出願番号：ＰＣＴ／ＦＲ００／０３７５９）であって，
平成１４年７月１日付けで特許法第１８４条の５第１項の規定による書面が提出されるとともに，特許法第１８４条の４第１項の規定による明細書，図面，要約書の翻訳文，及び特許協力条約第３４条補正の翻訳文が提出され，
平成１９年１２月２８日付けで審査請求がなされ，
平成２２年９月１３日付けで拒絶理由通知（同年同月２１日発送）がなされ，
平成２３年３月１８日付けで意見書が提出されるとともに，同日付けで手続補正がなされたが，
同年５月３１日付けで拒絶査定（同年６月７日謄本送達）がなされ，
同年１０月７日付けで審判請求がされるとともに，同日付けで手続補正がなされ，
平成２４年１月４日付けで特許法第１６４条第３項に定める報告（前置報告）がなされ，
同年５月２３日付けで当該報告に対する意見を求める旨の審尋（同年同月２９日発送)がなされ，
同年８月２９日付けで回答書の提出があったものである。
　
 　　 
２．本願発明
　
　本願の請求項１に係る発明は，平成２３年１０月７日付けの手続補正書により補正された特許請求の範囲の請求項１に記載されたとおりの次の事項により特定されるものである。（以下「本願発明」という。）
　
　「通信ネットワークを介してインターネットに接続された通信装置からウェブ上の情報源およびサービスにアクセスする方法であって：
　−ツリー状メニュー構造の中に構築され前記通信装置の中にローカル的に予め記憶された複数の選択ページ（各選択ページは１組のアイコンを有する）のうちの一の選択ページを表示する一以上の段階と，
　−表示中の選択ページ内の一のアイコンの選択に応じて，選択された当該アイコンに対応する情報源のアドレスを通信ネットワークに発信する段階，
とを包含し，
　その特徴は，各選択ページ毎に，前記１組のアイコンは遠隔情報源に直接アクセスするための一以上のアイコン，および，前記ツリー状メニュー構造の中の他の選択ページにローカル的にアクセスするための一以上の選択用アイコンを有し，
　前記遠隔情報源は表示段階および選択段階の際にローカル的に生成されたアドレスを有することからなる方法。」
　
３．先行技術 
　　
３．１　引用文献に記載されている技術的事項及び引用発明の認定
　
　本願の出願前であって，上記優先日よりも前の日に頒布され，原審の拒絶の査定の理由である平成２２年９月１３日付けの拒絶理由通知で引用された，特開平１１−２５９４９６号公報（平成１１年９月２４日公開，以下，「引用文献」という。）には，関連する図面とともに，以下の技術的事項が記載されている。 
　（当審注：下線は，参考のために当審で付与したものである。） 
　　　
　Ａ「【０００３】
それぞれのブラウザにおいて，頻繁に使用するホームページについては，ＵＲＬ（Uniform Resource Locator）を「ブックマーク」（Netscape）や「お気に入り」（ＩＥ）として登録することにより，以後容易に呼び出してアクセスが可能となる。
　
　Ｂ「【００１２】図１は，本発明の一実施形態であるＷＷＷブラウザ間のブックマーク統一管理方法を実施するインターネット・イントラネットシステムの構成を示した例である。図１に示すように，本実施形態のインターネット・イントラネットシステムは，複数のユーザ端末１，２と，各ユーザ端末と接続するＬＡＮ回線１４と，インターネット１５と，それらＬＡＮ回線１４とインターネット１５の接続を行うためのルータ１６とから構成される。
【００１３】ユーザ端末１にはブラウザＡ１１，ブラウザＢ１２の複数のブラウザと，各ブラウザのブックマークの統一管理を行うブックマーク統一管理プログラム１３とが格納され，ユーザ端末２ではブラウザＡ１１とブックマーク統一管理プログラム１３とが格納されている。また，ユーザ端末１には共有ブックマークファイル１７をハードディスク上に設定し，ブラウザＡ１１とブラウザＢ１２の共有ファイルとしている。
【００１４】そして，
各ユーザ端末１，２にセットアップされているブラウザＡ１１あるいはブラウザＢ１２から，ＬＡＮ回線１４およびルータ１６を経由しインターネット１５上のホームページにアクセスする接続形態
　　
　Ｃ「【００１５】ユーザは複数のブラウザで頻繁に使いそうなホームページが見つかった時には，各ブラウザＡ１１，Ｂ１２の操作方法によってそのＵＲＬをブックマークに登録する操作を行うが，その情報はブラウザ起動時にＰｌｕｇ−Ｉｎとして読み込まれるブックマーク統一管理プログラム１３により，共有ブックマークファイル１７に登録される。そのブックマークファイル１７に登録された情報は，ブラウザＡ１１，Ｂ１２からは勿論，ユーザ端末１，２のどちらからも参照・更新ができ，統一されたブックマーク管理が可能となる。
【００１６】次に，上述したブックマーク統一管理プログラム１３と共有ブックマークファイル１７とについて図２を用いて説明する。なお，本実施形態では，上述した二つのブラウザＡ１１，Ｂ１２を用いたものを取り挙げ，それぞれ
ブラウザ
ブックマークファイル
【００１７】ブックマーク統一管理プログラム１３は，図２に示すように，ブラウザを起動している間にバックグラウンドで起動され，ブラウザの独自のＵＲＬ登録ファイル２２，２３内における，共有利用ブックマーク登録部２１ａ，２１ｂにＵＲＬが登録されるという指示を受けると，ブラウザ独自のブックマークへの登録されたアクセスデータを，テキスト形式など（このデータ形式は，テキスト形式に限らず，システム設計時に最適な形式に決定する）へのデータ変換を行い，共有ブックマークファイル１７として登録する。」
　
　Ｄ「【００１９】各ブラウザＡ１１，Ｂ１２が共有利用ブックマーク登録部２１ａ，２１ｂにアクセスする場合には，ブックマーク統一管理プログラム１３によりブラウザは独自のＵＲＬ登録ファイル２２，２３にはアクセスされず，共有ブックマークファイル１７へアクセスすることとなる。
【００２０】
共有ブックマークファイル１７からＵＲＬを取得するときは，
各ブラウザＡ１１，Ｂ１２に表示する。
　
　Ｅ「【００２１】次に，上述したブックマーク統一管理プログラム１３の処理について図４を用いて説明する。
【００２２】ブックマーク統一管理プログラム１３は，図４に示すように，まず，ユーザが使用しているブラウザ種別を取得する（ステップ４０１）。
【００２３】ブラウザＡ１１，またはＢ１２から共有利用ブックマーク登録部２１ａ，または２１ｂにＵＲＬ登録指示がなされた場合（ステップ４０２），取得したブラウザ種別と図３に示す変換テーブル３０を基に登録するＵＲＬをテキスト形式に変換し（ステップ４０３），共有ブックマークファイル１７に格納する（ステップ４０４）。例えば，ブラウザＡ１１が使用されている場合はＨＴＭＬリンク形式からテキスト形式に，ブラウザＢ１２の場合はインターネットショートカット形式からテキスト形式にデータ変換して，共有ブックマークファイル１７に格納する。
【００２４】
共有利用ブックマーク登録部２１ａ，または２１ｂの表示指示がなされた場合
ブラウザ上にそのＵＲＬに対する情報を表示する
　
　Ｆ　図面第２図には，ユーザ端末２中にある，ブラウザＢ１２のためのＵＲＬ登録ファイル２３であるブックマークファイルの構成が示されており，
ブックマークファイルであるFavoritesファイル中に，共用フォルダ２１ｂ，「フォルダ３」フォルダや「Ｇ社」に係るインターネットのショートカットが存在し，共用フォルダ２１ｂ中にはさらに，「フォルダ１」，「フォルダ２」や「Ｅ社」「Ｆ社」に係るインターネットのショートカットが存在する
　　
　以下に，上記引用文献の記載事項について検討する。
　
（ア）引用文献には，上記Ｂに記載の通り「各ユーザ端末１，２にセットアップされているブラウザＡ１１あるいはブラウザＢ１２から，ＬＡＮ回線１４およびルータ１６を経由しインターネット１５上のホームページにアクセスする接続形態」である発明が記載されているところ，上記Ａに記載されているように，上記「アクセスする接続形態」において「容易に」「アクセスする方法」である発明が記載されていると言える。
　従って，引用文献には
　“各ユーザ端末にセットアップされているブラウザから，ＬＡＮ回線およびルータを経由しインターネット上のホームページに容易にアクセスする方法”が記載されていると言える。
　
（イ）当該「ホームページにアクセスする方法」は，
　上記Ａに「それぞれのブラウザにおいて，頻繁に使用するホームページについては，ＵＲＬ（Uniform Resource Locator）を「ブックマーク」（Netscape）や「お気に入り」（ＩＥ）として登録することにより，以後容易に呼び出してアクセスが可能となる。」との記載があるように，“ホームページのＵＲＬを登録したブックマークから，ＵＲＬを呼び出してホームページにアクセスする”ものであるところ，
　該「ブックマーク」とは，上記Ｃに記載の「ブラウザ」のＵＲＬ登録ファイルである「ブックマークファイル」であり，
　また，上記Ｄに「共有ブックマークファイル１７からＵＲＬを取得するときは，・・・各ブラウザＡ１１，Ｂ１２に表示する。」との記載，上記Ｅに「共有利用ブックマーク登録部２１ａ，または２１ｂの表示指示がなされた場合・・・ブラウザ上にそのＵＲＬに対する情報を表示する」との記載があるように，ＵＲＬを呼び出すために，「ブックマークファイル」を「ブラウザ」に表示させることは明かである。
　従って，引用文献には，
　“ホームページのＵＲＬを登録したブックマークファイルをブラウザに表示し，前記ＵＲＬを呼び出してホームページにアクセスする”ことが記載されていると言える。
　
　以上，（ア）及び（イ）を踏まえると，引用文献には，次の発明（以下，「引用発明」という。）が記載されているものと認める。
　
　各ユーザ端末にセットアップされているブラウザから，ＬＡＮ回線およびルータを経由しインターネット上のホームページに容易にアクセスする方法であって，
　ホームページのＵＲＬを登録したブックマークファイルをブラウザに表示し，前記ＵＲＬを呼び出してホームページにアクセスすることを含む，方法。
　
３．２  参考文献１に記載されている技術的事項
　
　本願の出願前であって，上記優先日よりも前の日に頒布された，再公表特許第９９／１７２２９号（平成１１年４月８日公開，以下，「参考文献１」という。）には，図面とともに，以下の技術的事項が記載されている。 （当審注：下線は，参考のために当審で付与したものである。）
　
　Ｇ「「ブックマーク機能」とは，インターネットのＷＷＷブラウザで，気に入ったサイトや頻繁にアクセスするページを登録しておく機能であり，表示させたいページのＵＲＬを予めブックマークデータの１情報として登録しておき，「ブックマークの表示」で，ブックマークとして登録されているページを一覧表示してから該当するページをマウスのクリック操作などで選択することによって，わずらわしいＵＲＬのタイプをすることなく，またタイプミスによる時間の浪費を生じさせることなく所望のページを表示させることができるというものである。
　図１には代表的な
ブックマーク表示画面
ブックマークは階層的に管理することができ
「Ｌｏｏｋｕｐ」というフォルダ
Ｌｏｏｋｕｐ」をマウスなどでクリックすることによって同図のように一覧的に表示される
　・・・（中略）・・・ＷＷＷブラウザのユーザは，図１のブックマーク表示画面１０で「Ｐｅｏｐｌｅ」などのブックマーク１２を示す行（オブジェクト）をマウスでダブルクリックしたり，こうしたブックマーク表示画面１０以外の，ブックマーク１２を簡易表示するポップアップウインドウ（不図示）で所望のブックマーク１２を示す行をクリックすることなどによって，容易に所望のページを選択し，表示させることができる。」（１０頁２４行〜１１頁２０行）
　（当審注：
図１には，上記「Ｌｏｏｋｕｐ」フォルダが「Personal Toolbar Folder」フォルダの下にあり，当該「Personal Toolbar Folder」フォルダの下には上記「Ｌｏｏｋｕｐ」フォルダ以外に「New 
 Cool」フォルダや「FTHホームページ」等の複数のブックマークが存在し
　
　Ｈ「図２は，本発明の一実施形態の画像表示ブックマークシステム１００のシステム構成を示すブロック図である。画像表示ブックマークシステム１００は，処理装置１１０内のブックマーク処理部１１１およびデータ記憶装置１２０から構成される。前記処理部１１０は通常，パーソナルコンピュータまたはＵＮＩＸワークステーション等のＣＰＵであり，
前記データ記憶部１２０は通常，前記パーソナルコンピュータまたはＵＮＩＸワークステーション等のハードディスク装置またはその他の記憶装置である。
・・・（中略）・・・
  また，
前記データ記憶装置１２０は
ブックマークデータファイル１２３
を含んでいる。
・・・（中略）・・・前記ブックマーク表示制御部１１１ｅは，前記動作制御パラメータファイル１２１，および前記ユーザ管理ファイル１２２の設定内容に従い，
登録されたブックマークをブックマーク表示画面内に画像（アイコン）により表示させる
ＷＷＷブラウザ１１３のユーザのブックマーク（アイコン）の指定に従い，前記ブックマークデータファイル１２３内の該指定されたブックマークに登録されているＵＲＬにインターネット１３０を経由してアクセスして，該ブックマークに登録されているページのＨＴＭＬ文書を取得し，該ＨＴＭＬ文書をＷＷＷブラウザ１１３に渡し，前記ＷＷＷブラウザ１１３に該ページの画像を前記表示装置１６０に表示させる。
　
３．３  参考文献２に記載されている技術的事項
　
　本願の出願前であって，上記優先日よりも前の日に頒布された，欧州特許出願公開第８４７０１９号明細書（１９９８年１０月６日公開，以下，「参考文献２」という。）には，図面とともに，以下の技術的事項が記載されている。 （当審注：下線は，参考のために当審で付与したものである。）
　
　Ｊ「Figure 2 schematically shows a transfer from the first to the second menu-structure. A first hierarchical multi-level menu-structure 100, as shown in Figure 1, provides access to a first subset 202 of the information items and a second multi-level menu-structure 204 provides access to a second subset 206 of the information items. The second menu-structure 204 is based on the first menu-structure in that it comprises at least sub-menus that correspond to the respective sub-menus of the first menu-structure. The second menu-structure may comprise additional levels in the hierarchy and may comprise additional options per sub-menu. The only requirement is that a sub-menu in the first menu-structure has a corresponding sub-menu in the second menu-structure.」（第８欄１９行〜３３行）
（訳：上記参考文献２に対応する特表２０００−５０４４５６号公報の記載を引用。以下，同じ。
　「図２は，第１メニュー構造から第２メニュー構造への移動を図式的に示す。図１に示すような
第１階層多レベルメニュー構造１００は，情報項目の第１部分集合２０２へのアクセスを与え
前記第１メニュー構造におけるサブメニューが，前記第２メニュー構造において対応するサブメニューを有する
　
　Ｋ「The first and the second menu-structure may be implemented and/or presented in mutually different ways. In an embodiment of the invention, 
the first menu-structure is implemented in a way dedicated to the local station
（訳：「前記第１および第２メニュー構造を，互いに異なるように実装および／または表示してもよい。本発明の一実施形態において，
前記第１メニュー構造を，これが存在するローカル局
に実装する。
本発明のこの実施形態において，ユーザが前記ローカル局における特定のサブメニューにおける接続選択を選択すると，前記中央局に接続し，前記ブラウザは，前記特定のサブメニューの識別に基づいてＨＴＭＬページを検索する。
　
３．４  参考文献３に記載されている技術的事項
　
　本願の出願前であって，上記優先日よりも前の日に頒布された，山田　祥平，山田祥平のＷｅｂブラウザ活用術  第５回，インターネットＡＳＣＩＩ，日本，株式会社アスキー　ASCII　Corporation，１９９９年１０月１日，第4巻，第１０号，p.132（以下，「参考文献３」という。）には，画面について，以下の技術的事項が記載されている。 （当審注：下線は，参考のために当審で付与したものである。）
　
　Ｌ　画面１２には，
登録されたブックマークファイルがフォルダにて表示され，さらにフォルダ表示の中に，「data」等のフォルダや，ホームページのデータが表示された態様
　「ホームページのデータが登録されている場合，このように通常のフォルダのように表示される。もちろん，コピーもできる。」と記載されている。
　また，画面１３には，
登録したブックマークをブラウザ画面で表示した態様
　「登録したブックマークを表示すると，このような感じになる。これで，どこにいても自分のお気に入りを参照できるわけだ。」と記載されている。
　
３．５  参考文献４に記載されている技術的事項
　
　本願の出願前であって，上記優先日よりも前の日に頒布された，特開平１１−２１２９９８号公報（平成１１年８月６日公開，以下，「参考文献４」という。）には，図面とともに，以下の技術的事項が記載されている。 （当審注：下線は，参考のために当審で付与したものである。）
　
　Ｍ「【００２９】図４は，本発明のデータ表示装置１を利用した表示画面の第１の例である。表示画面２０には，ユーザが新規に訪問したいＷｅｂページのＵＲＬを入力するＵＲＬ入力欄２１が用意されている。また，図１に示した画像データ表示手段１ｅにより，表示画面２０には，過去に訪問したＷｅｂページのタイトルとそのタイトルに対応するアイコンとが表示される。ここでは図３に示した情報テーブル１０に基づいて，タイトル２２ａとアイコン２２ｂ，タイトル２３ａとアイコン２３ｂ，タイトル２４ａとアイコン２４ｂが表示されている。
・・・（中略）・・・
【００３１】また，
ユーザが過去に訪問したＷｅｂページを再訪問したい場合には，表示されているタイトル名もしくはアイコンを選択すればよい。この場合，選択されたタイトル名もしくはアイコンに応じて，図１に示したハイパーテキストデータ表示手段１ｆが，インデックス情報保持手段１ｄに保持された情報テーブルを検索し，該当するＵＲＬを抽出する。
　
３．６  参考文献５に記載されている技術的事項
　
　本願の出願前であって，上記優先日よりも前の日に頒布された，CRAIG STINSON，CARL SIECHERT，Ｗｉｎｄｏｗｓ　ＮＴ　Ｗｏｒｋｓｔａｔｉｏｎ　Ｖｅｒｓｉｏｎ４．０　オフィシャルマニュアル，株式会社アスキー，１９９９年７月１１日，第１版第９刷発行，pp.107-113（以下，「参考文献５」という。）には，図とともに，以下の技術的事項が記載されている。 
　
　Ｎ　１０９頁の図５−１には，Windows NTの名前空間として，ユーザーアクセスできる構成が示されており，その中で，「マイコンピュータ」−「ハードディスク」内に「フォルダ」があり，その下にさらに２つの「フォルダ」があり，すなわち「フォルダ」がツリー状構造で構成されている態様が示されている。
　
　Ｐ「既定の設定では，フォルダウィンドウ内のフォルダアイコンをダブルクリックすると，新しくオープンしたフォルダが別のウィンドウに表示され，親フォルダ（この新しくオープンしたフォルダが置かれているフォルダ）のウィンドウはオープンしたままになります。このようなフォルダウィンドウの例が図５−２です。
　この“フォルダを開くたびに新しいウィンドウを作る”モードの利点は，親フォルダと新しくオープンしたフォルダを同時に見ることができることです。その一方で，数レベルにわたってサブフォルダを操作するときに，フォルダウィンドウによって画面上がいっぱいになってしまうという欠点もあります。これらのフォルダウィンドウが不要であれば“別のフォルダを開くときに新しいウィンドウを作らない”モードに切り替えることができます。このモードでは，新しくオープンするフォルダウィンドウが，その親ウィンドウに置き換わって表示されます。」（１１１頁７行〜１７行）
　
４．対比・判断
　
４．１　本願発明と引用発明との対比 
 　 
 　本願発明と引用発明とを対比する。
　
（ア）引用発明の「ＬＡＮ回線およびルータ」及び「ユーザ端末」は，本願発明の「通信ネットワーク」及び「通信装置」にそれぞれ相当する。
　引用発明の「ホームページ」が，ウェブ上で所定の情報やサービスを提供するものであることは，当業者にとって自明な事項であるから，当該「ホームページ」は，本願発明の「ウェブ上の情報源およびサービス」に相当する。
　
（イ）引用発明の「各ユーザ端末にセットアップされているブラウザから，ＬＡＮ回線およびルータを経由しインターネット上のホームページにアクセスする方法」は，本願発明の「通信ネットワークを介してインターネットに接続された通信装置からウェブ上の情報源およびサービスにアクセスする方法」に相当する。
　
（ウ）引用発明の「ブックマークファイル」が，「ブラウザ」に対応して「ユーザ端末」側に，「ＵＲＬ」の「呼び出し」する前に保存されていることは自明であることから，ローカル的に予め記憶されているものと言える。また，同「ブックマークファイル」は，「ブラウザに表示」され，そこから「ＵＲＬを呼び出してアクセスする」ためのものであるところ，上記Ｆにあるように，上記「ブックマークファイル」は複数のショートカットに対応する「ＵＲＬ」を含み，当該複数の「ＵＲＬ」から，アクセスしたい「ＵＲＬ」を「呼び出」すこととは，複数の「ＵＲＬ」から選択することであると言え，「ブラウザに表示」される「ブックマークファイル」は選択のために表示されるものであるから，選択用表示情報であると言える。一方，本願発明の「選択ページ」も，上位概念において，選択用表示情報であると言える。
　また，引用発明の「ブックマークファイル」中に登録された「ＵＲＬ」は，「表示」された「ブックマークファイル」から「呼び出」されるものであるところ，当該「呼び出」しのために「ブックマークファイル」の表示に合わせて「ＵＲＬ」も表示されることは自明の事項であるから，当該「ＵＲＬ」の表示は，情報アクセスのための表示と言えるものである。一方，本願発明の「アイコン」も，「選択ページ」に含まれ表示されるものであり，また「情報源」に「アクセス」するためのものであるから，上位概念において，情報アクセスのための表示であると言える。
　従って，引用発明の「ブックマークファイル」を，「ＵＲＬを呼び出してホームページにアクセス」可能なように「表示」することと，本願発明の「ツリー状メニュー構造の中に構築され前記通信装置の中にローカル的に予め記憶された複数の選択ページ（各選択ページは１組のアイコンを有する）のうちの一の選択ページを表示する一以上の段階」とは，ともに，“前記通信装置の中にローカル的に予め記憶された選択用表示情報（選択用表示情報は１組の情報アクセスのための表示を有する）を表示する一以上の段階”である点で共通すると言える。
　
（エ）引用発明の「ＵＲＬを呼び出してホームページにアクセスする」ために，「ＵＲＬ」の表示を選択し，それに応じて当該「ＵＲＬ」情報をインターネットに発信することは，当業者にとって技術常識であり，また，当該「ＵＲＬ」は情報源のアドレスであると言えることから，
　引用発明の「ＵＲＬ」の表示から「ＵＲＬを呼び出してホームページにアクセスする」ことと，本願発明の「表示中の選択ページ内の一のアイコンの選択に応じて，選択された当該アイコンに対応する情報源のアドレスを通信ネットワークに発信する段階」とは，ともに，“表示中の選択用表示情報内の一の情報アクセスのための表示の選択に応じて，選択された当該情報アクセスのための表示に対応する情報源のアドレスを通信ネットワークに発信する段階”である点で共通すると言える。
　
　以上の対比から，本願補明と引用発明とは，以下の点で一致し，また，以下の点で相違する。
　
（一致点）
　通信ネットワークを介してインターネットに接続された通信装置からウェブ上の情報源およびサービスにアクセスする方法であって：
　−前記通信装置の中にローカル的に予め記憶された選択用表示情報（選択用表示情報は１組の情報アクセスのための表示を有する）を表示する一以上の段階と，
　−表示中の選択用表示情報内の一の情報アクセスのための表示の選択に応じて，選択された当該情報アクセスのための表示に対応する情報源のアドレスを通信ネットワークに発信する段階，
とを包含することからなる方法。　
　
（相違点１）　
　選択用表示情報について，本願発明が，「ツリー状メニュー構造の中に構築」された「複数」の「選択ページ」としているのに対し，引用発明は，「ブックマークファイル」に関し，そのような構成となっていない点。
　
（相違点２）　
　選択用表示情報の表示方法について，本願発明が，ツリー状メニュー構造の中に構築された複数の選択ページの「うちの一」の選択ページを表示することとしているのに対し，引用発明は，表示方法について明りょうでない点。
　
（相違点３）　
　選択用表示情報中の情報アクセスのための表示について，本願発明が，「アイコン」であるのに対し，引用発明は，具体的に言及されていない点。
　
（相違点４）
　選択用表示情報の特徴について，本願発明が，各選択ページ毎に，「前記１組のアイコンは遠隔情報源に直接アクセスするための一以上のアイコン，および，前記ツリー状メニュー構造の中の他の選択ページにローカル的にアクセスするための一以上の選択用アイコンを有」することとしているのに対し，引用発明は，そのような構成となっていない点。
　
（相違点５）
　本願発明が「遠隔情報源は表示段階および選択段階の際にローカル的に生成されたアドレスを有する」としているのに対し，引用発明は，そのような構成になっていない点。
　
　
４．２　当審判断
　
　（相違点１）ないし（相違点４）について
　インターネットにアクセスするブラウザのブックマークを，ＵＲＬを格納する複数のフォルダで構成するとともに，あるフォルダから別の複数のフォルダに分岐してアクセス可能なように相互にリンクさせた，いわゆるツリー状構造とすることは，周知慣用技術であり（例えば，引用文献１の上記Ｆの記載，参考文献１のＧ及び図１の記載，を参照。），
　そして，当該ツリー状構造であるブックマークの，各フォルダのリンク情報の表示において，（１）ホームページへの複数のリンクを選択可能に一覧表示する画面すなわちページとして構成すること，（２）上記リンク情報表示画面を，ホームページへのリンク表示に加えて，ツリー構造上の他のリンク情報表示画面へアクセスするリンク表示も有するよう構成すること，及び（３）上記リンクをアイコンとして表示すること，は，いずれも本願の優先日前に周知構成と言えるものであり（例えば，（１）については参考文献１の上記Ｈの記載，参考文献２の上記Ｋの記載，参考文献３の上記Ｌの記載，（２）については参考文献２の上記Ｊ及びＫの記載，参考文献３の上記Ｌの記載，（３）については参考文献１の上記Ｈの記載，参考文献４の上記Ｍの記載，をそれぞれ参照。），
　また，一般に，コンピュータ装置上で情報にアクセスするための，ツリー状構造にある複数の画面表示のうち，一の画面のみを表示するようにすることは，普通に行われる事項（必要であれば，参考文献５の上記Ｎ及びＰ参照）であるから，上記ブックマークの表示において同様に構成することに格別困難性は認められない。
　してみると，引用発明における，ユーザ端末側に保存された，ブックマークファイルの表示のための構成に，上記周知技術等を適用し，「ツリー状メニュー構造の中に構築」された「１組のアイコン」を有する「複数」の「選択ページ」であり，「各選択ページ毎に，前記１組のアイコンは遠隔情報源に直接アクセスするための一以上のアイコン，および，前記ツリー状メニュー構造の中の他の選択ページにローカル的にアクセスするための一以上の選択用アイコンを有」する「選択ページ」とするとともに，当該「複数の選択ページ」の「うちの一」の「選択ページ」を表示するようにすること，すなわち，相違点１ないし相違点４に係る構成とすることは，当業者が容易に想到し得たことである。
　よって，相違点１ないし相違点４は格別なものではない。　 
　　
　（相違点５）について
　本願発明の「表示段階および選択段階の際に
ローカル的
「【０００９】
  本発明によれば，各選択ページ毎に，前記１組のアイコンは遠隔情報源に直接アクセスするための一以上のアイコン，および／又は，前記ツリー状メニュー構造の中の他の選択ページにローカル的にアクセスするための一以上の選択用アイコンを有し，
直接アクセス用アイコンに対応する情報源の前記アドレスは，テーブル若しくはアドレスベース内にローカル的に予め記憶されているか，又は，
表示段階と選択段階の進行に伴いローカル的に生成される
「【００１６】
  この装置の特徴は，各選択ページ毎に，前記１組のアイコンは遠隔情報源に直接アクセスするための一以上のアイコン，および／又は，前記ツリー状メニュー構造の中の他の選択ページにローカル的にアクセスするための一以上の選択用アイコンを有し，
  前記制御処理手段は：
  −前記ツリー状メニュー構造の中の他の選択ページにローカル的にアクセスするために設けた選択用アイコンをアクティブにするに応じて，前記選択ページ表示手段による表示を制御するべく，かつ，
  −表示中の選択ページ内の一のアイコンの選択に応じて，当該選択された直接アクセス用アイコンに対応する情報源のアドレスを通信ネットワークに発信するべくプログラムされており，
  直接アクセス用アイコンに対応する情報源の前記アドレスは，テーブル若しくはアドレスベース内にローカル的に予め記憶されているか，又は，
表示段階と選択段階の進行に伴いローカル的に生成される
　との記載があるのみである。
　一方，「ローカル（local）」とは，通常の英和辞典によれば「地方の」，「局所的な」，「局地的な」を意味するものであり，また，本願発明の詳細な説明の「【００２１】この第１ページPoは，図２に概略的に示した，この
方法を実施する装置
ローカル（局地）的
　その上で相違点について検討すると，引用発明のブックマークファイルにおける，ホームページのＵＲＬ（情報源のアドレスに相当）は，登録時に，ユーザ端末側のファイル中に生成されており，これは局地的に生成されていると言えるものであり，また，当該アドレスをいずれの時点で生成するかにおいて，技術上格別なる困難性が生じるものとは認められず，よって，必要により適宜行う程度の事項である。
　よって，相違点５は格別なものではない。　 
　　
　そして，本願発明により奏する効果も，引用発明及び周知技術から当然予想される範囲内のものにすぎず，格別顕著なものとは認められない。
　
　
５．むすび
　
　以上のとおり，本願発明は，引用発明及び周知技術に基いて，当業者が容易に発明をすることができたものであるから，特許法第２９条第２項の規定により特許を受けることができないものであり，他の請求項についての検討をするまでもなく，本願は拒絶されるべきものである。
　
　よって，結論のとおり審決する。